(57)【要約】【課題】カップインしたゴルフボールを取り出すときに、プレーする者の動作を少なくし、腰の屈む角度を小さくして楽な姿勢で確実に取り出すことができるゴルフ用旗竿を提供することを課題とする。【解決手段】カップの略中央部に設けた穴に挿通させて立設可能なゴルフ用旗竿であって、下端部を穴に挿通可能で上端部近傍に旗を取付けた長尺状の旗竿本体と、旗竿本体を貫挿させる空洞部を有し旗竿本体の外周壁面をガイドにしてスライド自在の筒状スライド体と、筒状スライド体の下端部に旗竿本体を貫挿可能に固設し、平面視で外周縁が円状でかつカップ内周壁面との隙を、上方向のスライド時にカップインしたゴルフボールを載置して持ち上げ可能となるように設定したゴルフボール受皿と、を備え、筒状スライド体を上方向にスライドさせるとゴルフボール受皿も上昇し、上方向のスライドをさせないときは筒状スライド体及びゴルフボール受皿が重力により下降するゴルフ用旗竿により課題解決できた。【選択図】    図２
2020185123.tif 000002
【特許請求の範囲】
【請求項１】
カップの略中央部に設けた穴に挿通させて立設可能なゴルフ用旗竿であって、
下端部を前記穴に挿通可能で上端部近傍に旗を取付けた長尺状の旗竿本体と、
前記旗竿本体を貫挿させる空洞部を有し前記旗竿本体の外周壁面をガイドにしてスライド自在の筒状スライド体と、
前記筒状スライド体の下端部に前記旗竿本体を貫挿可能に固設し、平面視で外周縁が円状でかつカップ内周壁面との隙を、上方向のスライド時にカップインしたゴルフボールを載置して持ち上げ可能となるように設定したゴルフボール受皿と、を備え、
前記筒状スライド体を上方向にスライドさせると前記ゴルフボール受皿も上昇し、前記上方向のスライドをさせないときは前記筒状スライド体及び前記ゴルフボール受皿が重力により下降することを特徴とするゴルフ用旗竿。
【請求項２】
前記ゴルフボール受皿の下端部が前記カップ底面に接した載置状態において、前記筒状スライド体の上端部の高さを立っている人の手が無理なく届く高さにしたことを特徴とする請求項１に記載のゴルフ用旗竿。
【請求項３】
前記ゴルフボール受皿の下端部が前記カップ底面に接した載置状態において、
前記旗竿本体の、立っている人の手が無理なく届く高さに相当する周壁の対向する部位に幅狭で少なくとも前記カップ深さ以上の長さの縦方向の第一貫通溝と、前記旗竿本体の下端部近傍の周壁の対向する部位に幅狭で少なくとも前記カップ深さ以上の長さの縦方向の第二貫通溝を設け、
前記旗竿本体の筒状内でスライド自在に嵌挿させた長尺状のスライド棒体の上端部に長手方向に対して直角方向に固定した握り棒体と、前記スライド棒体の下端部に長手方向に対して直角方向に固定した持ち上げ棒体とを設け、
前記第一貫通溝から突出させた前記握り棒体を前記立っている人が掴むことが可能で、前記旗竿本体の下端部近傍の周壁から突設させた持ち上げ棒体が前記ゴルフボール受皿の下面側に当接可能にして、
前記握り棒体を人が引き上げると前記持ち上げ棒体が前記ゴルフボール受皿を上昇させ、
前記握り棒体を人が離すと前記持ち上げ棒体が下降し、前記スライド棒体及び前記ゴルフボール受皿も重力により下降することを特徴とする請求項１に記載のゴルフ用旗竿。
【請求項４】
正面視で、前記円状のゴルフボール受皿の中心部側から外周縁側に向かって、前記旗竿本体側から離隔する方向に下向きの傾斜面を形成させたことを特徴とする請求項１〜３のいずれかに記載のゴルフ用旗竿。
【請求項５】
正面視で、前記円状のゴルフボール受皿の中心部側から外周縁側に向かって、前記旗竿本体側から離隔する方向に下向きの傾斜面を形成させ、前記傾斜面の外周縁部に、先端部を前記旗竿本体側に向けた折り返し部を形成させたことを特徴とする請求項１〜３のいずれかに記載のゴルフ用旗竿。
【発明の詳細な説明】
【技術分野】
【０００１】
本発明は、ゴルフ場のグリーン上のカップに立てるゴルフ用旗竿に関する。
【背景技術】
【０００２】
特許文献１には、底部にマグネットを着けたボビンを旗竿に通し旗竿内で滑車を介して紐で連結してある旗竿の大体肩当りの高さのボビンを下げることにより、カップ底部にあるボール受皿が浮上し、中間点でボビンとボール受皿はマグネットでくっつき静止状態となる。ボール受皿からボールを取った後にマグネット開放ボタンを叩いてボビンとボール受皿を離隔させると、ボール受台がカップ底部まで落下する技術が開示されている。
【先行技術文献】
【特許文献】
【０００３】
【特許文献１】特開昭５５−５８１７８号公報
【発明の概要】
【発明が解決しようとする課題】
【０００４】
特許文献１の発明は、まず人手により旗竿の大体肩当りの高さにあるボビンを下げるという手順を要し、ボビンと滑車を使って紐で連結した、カップ内のボール受台を上昇させ、ボビンの裏面に固定させたマグネットで磁力により固着させるので、雨天時や使用によってマグネットの磁力が弱りボール受台を固着できなくなるという問題があった。また、ボール受台上のゴルフボールを人手で取った後に、更に一旦ボビンにマグネットによって固着させたボール受皿を人手で切り離す手順を要するので、人手による手順として、ボビンを下げる手順とボール受皿を切り離す手順が必要になり煩わしいという問題があった。さらに、滑車やマグネットを使用しているので構造が複雑であるという問題があった。
【０００５】
本発明はこうした問題に鑑み創案されたもので、カップインしたゴルフボールを取り出すときに、プレーする者の動作を少なくし、腰の屈む角度を小さくして楽な姿勢で確実に取り出すことができ、構造を簡易にできるゴルフ用旗竿を提供することを課題とする。
【課題を解決するための手段】
【０００６】
請求項１に記載のゴルフ用旗竿は、  カップの略中央部に設けた穴に挿通させて立設可能なゴルフ用旗竿であって、下端部を前記穴に挿通可能で上端部近傍に旗を取付けた長尺状の旗竿本体と、  前記旗竿本体を貫挿させる空洞部を有し前記旗竿本体の外周壁面をガイドにしてスライド自在の筒状スライド体と、前記筒状スライド体の下端部に前記旗竿本体を貫挿可能に固設し、平面視で外周縁が円状でかつカップ内周壁面との隙を上方向のスライド時にカップインしたゴルフボールを載置して持ち上げ可能となるように設定したゴルフボール受皿と、を備え、前記筒状スライド体を上方向にスライドさせると前記ゴルフボール受皿も上昇し、前記上方向のスライドをさせないときは前記筒状スライド体及び前記ゴルフボール受皿が重力により下降することを特徴とする。
【０００７】
請求項２に記載のゴルフ用旗竿は、請求項１において、前記ゴルフボール受皿の下端部が前記カップ底面に接した載置状態において、前記筒状スライド体の上端部の高さを立っている人の手が無理なく届く高さにしたことを特徴とする。
【０００８】
請求項３に記載のゴルフ用旗竿は、請求項１において、前記ゴルフボール受皿の下端部が前記カップ底面に接した載置状態において、前記旗竿本体の、立っている人の手が無理なく届く高さに相当する周壁の対向する部位に幅狭で少なくとも前記カップ深さ以上の長さの縦方向の第一貫通溝と、前記旗竿本体の下端部近傍の周壁の対向する部位に幅狭で少なくとも前記カップ深さ以上の長さの縦方向の第二貫通溝を設け、前記旗竿本体の筒状内でスライド自在に嵌挿させた長尺状のスライド棒体の上端部に長手方向に対して直角方向に固定した握り棒体と、前記スライド棒体の下端部に長手方向に対して直角方向に固定した持ち上げ棒体とを設け、前記第一貫通溝から突出させた前記握り棒体を前記立っている人が掴むことが可能で、前記旗竿本体の下端部近傍の周壁から突設させた持ち上げ棒体が前記ゴルフボール受皿の下面側に当接可能にして、前記握り棒体を人が引き上げると前記持ち上げ棒体が前記ゴルフボール受皿を上昇させ、前記握り棒体を人が離すと前記持ち上げ棒体が下降し、前記スライド棒体及び前記ゴルフボール受皿も重力により下降することを特徴とする。
【０００９】
請求項４に記載のゴルフ用旗竿は、請求項１〜３のいずれかにおいて、正面視で、前記円状のゴルフボール受皿の中心部側から外周縁側に向かって、前記旗竿本体側から離隔する方向に下向きの傾斜面を形成させたことを特徴とする。
【００１０】
請求項５に記載のゴルフ用旗竿は、請求項１〜３のいずれかにおいて、正面視で、前記円状のゴルフボール受皿の中心部側から外周縁側に向かって、前記旗竿本体側から離隔する方向に下向きの傾斜面を形成させ、前記傾斜面の外周縁部に、先端部を前記旗竿本体側に向けた折り返し部を形成させたことを特徴とする。
【発明の効果】
【００１１】
請求項１に記載のゴルフ用旗竿は、前記ゴルフ用旗竿をカップ（ホールともいう。）に刺したままの状態でカップインしたボールを容易に取り出すことができる。カップの周縁近辺のグリーンを損傷させずに、カップインしたゴルフボールを取り出すことができる。
【００１２】
前記ゴルフ用旗竿をカップに刺したままでパットをすることは従来禁じられていたが、ルール改正で認められることになった。このルール改正を実行した場合に、カップインしたゴルフボールを前記カップの上周縁部のグリーンを変形させないでゴルフボールを取り出すことができる。さらに、カップインしてカップの底部に入ったゴルフボールを、指を伸ばして取り出すときにゴルフボールを取り損ねるという問題も解消できる。
【００１３】
請求項２に記載のゴルフ用旗竿は、構造が簡単で、前記筒状スライド体を手で掴んで持ち上げるのみでよいので、プレー時間の短縮ができるとともに、比較的安価で製造できる。
【００１４】
請求項３に記載のゴルフ用旗竿は、前記ゴルフ用旗竿をカップに刺したままの状態でカップインしたボールを容易に取り出すことができる。突設棒体を手で掴んで持ち上げるのみでよいので、プレー時間の短縮ができる。
【００１５】
請求項４に記載のゴルフ用旗竿は、カップインしたゴルフボールをカップ上周縁部から離隔した位置までころがり出すことができ、前記カップの上周縁部の近傍のグリーンを変形させることを回避できる。また、カップインしたゴルフボールを取り出すときには腰を屈む姿勢になるが、カップ底部ではなくグリーン上になるので腰を屈む角度が小さくなるとともに、ゴルフボールを簡単に拾いあげることができるという効果を奏する。
【００１６】
請求項５に記載のゴルフ用旗竿は、カップインしたゴルフボールをゴルフボール受皿上に留めておくことができるので、前記カップの上周縁部の近傍のグリーンを変形させることを回避できる。また、カップインしたゴルフボールを取り出すときには腰を屈む姿勢になるが、カップ底部ではなくグリーンの高さ以上になるので腰を屈む角度がさらに小さくなるとともに、ゴルフボールを簡単に掴むことができるという効果を奏する。
【図面の簡単な説明】
【００１７】
【図１】本発明の筒状スライド体が長い形態のゴルフ用旗竿の正面図であり、左図がゴルフボール受皿が下降した場合の状態を示し、右図がゴルフボール受皿が少なくともカップ上端より上方に上昇した場合の状態を示した図である。
【図２】本発明の筒状スライド体が長い形態のゴルフ用旗竿をカップに刺した状態を示す正面図（カップ近傍は断面を示す。）であり、左図がゴルフボール受皿が下降した状態を示し、右図がゴルフボール受皿がカップ上端より上方に上昇した状態を示した図である。
【図３】本発明の筒状スライド体が短い形態のゴルフ用旗竿の正面図であり、左図がゴルフボール受皿が下降した場合の状態を示し、右図がゴルフボール受皿が少なくともカップ上端より上方に上昇した場合の状態を示した図である。
【図４】本発明の筒状スライド体が短い形態のゴルフ用旗竿の側面図である。
【図５】本発明の筒状スライド体が短い形態のゴルフ用旗竿の正面視からみた縦断面図である。
【図６】図５におけるＡ部の拡大図である。
【図７】図５におけるＢ部の拡大図である。
【図８】本発明の筒状スライド体が短い形態のゴルフ用旗竿をカップに刺した状態を示す正面図（カップ近傍は断面を示す。）であり、左図がゴルフボール受皿が下降した状態を示し、右図がゴルフボール受皿がカップ上端より上方に上昇した状態を示した図である。
【図９】外周縁部に先端部を旗竿本体側に向けた折り返し部を形成したゴルフボール受皿の正面視の図で、（ａ）がゴルフボールを載せていない状態を示す図で、（ｂ）がゴルフボールを載せた状態を示す図である。
【発明を実施するための形態】
【００１８】
本発明のゴルフ用旗竿１は、図１〜図８に示すように、カップ１０の略中央部に設けた穴１１に挿通させて立設可能なゴルフ用旗竿１であって、下端部を前記穴１１に挿通可能で上端部近傍に旗１２を取付けた長尺状の旗竿本体２と、前記旗竿本体２を貫挿させる空洞部を有し前記旗竿本体２の外周壁面をガイドにしてスライド自在の筒状スライド体３ａ、３ｂと、前記筒状スライド体３ａ
３ｂの下端部に前記旗竿本体２を貫挿可能に固設し、平面視で外周縁が円状でかつカップ１０内周壁面との隙を上方向のスライド時にカップインしたゴルフボール２０を載置して持ち上げ可能となるように設定したゴルフボール受皿４と、を備え、前記筒状スライド体３ａ、３ｂを上方向にスライドさせると前記ゴルフボール受皿４も上昇し、前記上方向のスライドをさせないときは前記筒状スライド体３ａ、３ｂ及び前記ゴルフボール受皿４が重力により下降する。
【００１９】
前記カップ１０はホールとも言い、グリーン上に設けられ、前記カップ１０の底面の略中央部には穴１１が形成されている。前記穴１１を貫通させて図２や図８に示すように土中に前記旗竿本体２を刺すことができ、前記旗竿本体２を立設させることができる。
【００２０】
前記旗竿本体２は、図１に示すように筒状又は棒状の長尺状、又は、図５に示すように筒状の長尺状であって、下端部を図２や図８に示すように前記穴１１に嵌入可能で上端部近傍に旗１２      を取付けている。
【００２１】
次に、前記筒状スライド体３ａ、３ｂは、空洞部に前記旗竿本体２を貫挿させて、前記旗竿本体２の外周壁面をガイドにしてスライド自在であり、上方向は人の手によりスライド可能であり、下方向は重力によりスライド可能である。前記筒状スライド体３ａ、３ｂを上昇させるにはゴルフのプレーをする者が掴んで引き上げるが、前記筒状スライド体３ａ、３ｂの下降はゴルフのプレーをする者が掴んだ手を離したらすぐに重力によって下降する。図１に示すスライド長さＬ１の範囲や図３に示すスライド長さＬ２の範囲で上下方向に自在にスライドする。
【００２２】
前記筒状スライド体３ａ、３ｂの材質は、例えば樹脂製、木製又は金属製でよく、軽量で筒状体が製作できる材料であればよい。
【００２３】
前記筒状スライド体３ａ、３ｂの長さは、図１や図２に示すように前記ゴルフボール受皿４の下端部が前記カップ１０底面に接した載置状態において、前記筒状スライド体３ａの上端部の高さを立っている人の手が無理なく届く高さにする第一の形態、又は、図３や図８に示すように前記ゴルフボール受皿の下端部が前記カップ底面に接した載置状態において、前記筒状スライド体３ｂの上端部の高さを立っている人の手を届かない低い高さにする第二の形態がある。
【００２４】
前記第一の形態の場合は、ゴルフのプレーをする者が立った姿勢の状態で、前記筒状スライド体３ａを手で掴みやすいので、図２左図に示すようにゴルフボール２０がカップインしたら、図２右図に示すように容易に前記筒状スライド体３ａの上端部を手で掴んで引き上げて、ゴルフボール２０をカップ１０から立った姿勢で取り出すことができる。そして、ゴルフのプレーをする者が手を離すと前記筒状スライド体３ａは重力によって前記ゴルフボール受皿４の下端部が前記カップ１０の底面に到達するまで下降する。
【００２５】
前記第二の形態の場合は、ゴルフのプレーをする者が立った姿勢の状態で、前記筒状スライド体３ｂを手で掴むことが極めて困難であるので、図４に示すように、前記ゴルフボール受皿４の下端部が前記カップ１０底面に接した載置状態において、前記旗竿本体２の下端部近傍の周壁の対向する部位に幅狭で少なくとも前記カップ１０の深さ以上の長さの縦方向の第二貫通溝６ｂを設け、立っている人の手が無理なく届く高さ周壁の対向する部位に幅狭で少なくとも前記カップ１０の深さ以上の長さの縦方向の第一貫通溝６ａを設けた。そして、前記旗竿本体２の筒状内でスライド自在に嵌挿させた長尺状のスライド棒体５を設けた。そして、前記スライド棒体５の上端部には、図６に示すように前記スライド棒体５の長手方向に対して略直角方向に突設させた握り棒体７を設け、前記にぎり棒体７は、上側の前記第一貫通溝６ａを貫通させ、ゴルフのプレーをする者が立った姿勢の状態で手で握りやすくしている。
【００２６】
また、前記スライド棒体５の下端部には、図７に示すように前記スライド棒体５の長手方向に対して略直角方向に突設させた持ち上げ棒体８を設け、前記持ち上げ棒体８は、下側の前記第二貫通溝６ｂを貫通させ、前記ゴルフボール受皿４の下面側に当接可能としている。
【００２７】
前記握り棒体７を人が引き上げると前記持ち上げ棒体８が前記ゴルフボール受皿４を持ち上げ、前記握り棒体７を人が離すと前記持ち上げ棒体８が下降し、前記スライド棒体５及び前記ゴルフボール受皿４も重力によって前記ゴルフボール受皿４の下端部が前記カップ１０の底面に到達するまで下降する。
【００２８】
次に、前記ゴルフボール受皿４は、前記筒状スライド体３の下端部にボルトナットやビスによる締結手段（図示なし）、接着剤による接着、又は、金属同士の場合は溶接で固定化されている。そして、前記ゴルフボール受皿４には、前記筒状スライド体３の空洞部の中心軸と一致させた穴が設けてあり、前記穴に前記旗竿本体２を貫挿可能としている。
【００２９】
また、前記ゴルフボール受皿４は、前記カップ１０が平面視で円状であるので、平面視で外周縁を円状とし、前記カップインしたゴルフボール２０を前記ゴルフボール受皿４の上面に載せて引き上げることができるように、平面視で外周縁とカップ１０内周壁面との隙を、上方向のスライド時にカップインしたゴルフボール２０を載置して持ち上げ可能となるように設定する。
【００３０】
前記ゴルフボール受皿４の形状は、正面視で、傘状の形状をしており、前記円状のゴルフボール受皿４の中心部側から外周縁側に向かって、前記旗竿本体２側から離隔する方向に下向きの傾斜面を形成させた形状であり、前記傾斜面が、図１に示すように、傾斜面が円弧状で前記ゴルフボール受皿４全体が凸状の形状、傾斜面が円弧状で前記ゴルフボール受皿４全体が凹状の形状（図示なし）、傾斜面が直線状で前記ゴルフボール受皿４全体が山型の形状（図示なし）、又は、図９（ａ）又は（ｂ）に示すように傾斜面が円弧状で前記ゴルフボール受皿４全体が凸状の形状の外周縁部の形状を、先端部を前記旗竿本体側に向けた折り返し部を設けた形状がある。前記傾斜面の形状は、カップインしたゴルフボール２０を載せた状態で持ち上げることが可能な形状であれば、いずれの形状であってもよい。
【００３１】
前記ゴルフボール受皿４の前記傾斜面が、傾斜面が円弧状で前記ゴルフボール受皿４全体が凸状の形状、傾斜面が円弧状で前記ゴルフボール受皿４全体が凹状の形状（図示なし）、傾斜面が直線状で前記ゴルフボール受皿４全体が山型の形状（図示なし）の形状の場合は、カップインしたゴルフボール２０をグリーン上に転がり出すことができる。
【００３２】
前記ゴルフボール受皿４の前記傾斜面が、図９（ａ）、（ｂ）に示すように、円弧状で前記ゴルフボール受皿４全体が凸状の形状の外周縁部の形状を、先端部を前記旗竿本体側に向けた折り返し部を設けた形状の場合は、カップインしたゴルフボール２０を前記ゴルフボール受皿４から掴み出すことができる。
【００３３】
前記ゴルフボール受皿４の材質は、例えばプラスチック、合成樹脂、又は、金属などがあるが、軽量で凹部形状や凸部形状などの傘状の形状を製作可能な材料であればよい。
【００３４】
次に、使用方法を説明する。前記筒状スライド体３が第一の形態の場合は、ゴルフのプレーをする者が図２左図に示すようにカップインしたゴルフボール２０を取り出すために、図２右図に示すように前記筒状スライド体３を掴んでスライド長さＬ１ほど引き上げると前記ゴルフボール受皿４がスライド長さＬ１ほど上昇し、前記ゴルフボール受皿４に載置されたゴルフボール２０がグリーン上に転がり出てくる。このように前記ゴルフ用旗竿１をカップ１０に刺したままの状態でカップインしたボール２０を容易に取り出すことができる。
【００３５】
前記筒状スライド体３が第二の形態の場合は、ゴルフのプレーをする者が図８左図に示すようにカップインしたゴルフボール２０を取り出すために、図８右図に示すように前記握り棒体７を掴んでスライド長さＬ２ほど引き上げると前記ゴルフボール受皿４がスライド長さＬ２ほど上昇し、前記ゴルフボール受皿４に載置されたゴルフボール２０がグリーン上に転がり出てくる。このように前記ゴルフ用旗竿１をカップ１０に刺したままの状態でカップインしたボール２０を容易に取り出すことができる。
【符号の説明】
【００３６】
１            ゴルフ用旗竿
２            旗竿本体
３ａ          筒状スライド体
３ｂ          筒状スライド体
４            ゴルフボール受皿
５            スライド棒体
６ａ          第一貫通溝
６ｂ          第二貫通溝
７            握り棒体
８            持ち上げ棒体
１０          カップ
１１          穴
１２          旗
２０          ゴルフボール
Ｌ１          スライド長さ
Ｌ２          スライド長さ
【図１】
2020185123.tif 000003
【図２】
2020185123.tif 000004
【図３】
2020185123.tif 000005
【図４】
2020185123.tif 000006
【図５】
2020185123.tif 000007
【図６】
2020185123.tif 000008
【図７】
2020185123.tif 000009
【図８】
2020185123.tif 000010
【図９】
2020185123.tif 000011